(57)【特許請求の範囲】
【請求項１】
段ボール製の仕切り板キットであって、
一方の対辺である第一辺及び第二辺と、他方の対辺である第三辺及び第四辺とをそれぞれ有する複数の略矩形状第一仕切り板と、
二枚の前記第一仕切り板を並べて配置した状態で互いに固定するための複数の固定板と、
を備え、
前記第一仕切り板は、当該第一辺から当該第二辺の方向に当該第三辺に沿って延びる第一切り込みと、当該第一辺から当該第二辺の方向に当該第四辺に沿って延びる第二切り込みとを有し、
前記固定板は、前記第一仕切り板の二枚分の厚さに相当する幅の固定用切り込みを有する、仕切り板キット。
【請求項２】
一方の対辺である第一辺及び第二辺と、他方の対辺である第三辺及び第四辺とをそれぞれ有する複数の略矩形状第二仕切り板を更に備え、
前記第二仕切り板は、当該第一辺から当該第二辺の方向に当該第三辺に沿って延びる第三切り込みと、当該第二辺から当該第一辺の方向に当該第四辺に沿って延びる第四切り込みとを有する、請求項１に記載の仕切り板キット。
【請求項３】
パーティション、迷路の壁面、あるいは組立式簡易ベッド用もしくは簡易椅子用の井桁状構造体として使用される、請求項１又は２に記載の仕切り板キット。
【発明の詳細な説明】
【技術分野】
【０００１】
本発明は、段ボール製仕切り板キットに関する。
【背景技術】
【０００２】
地震などの大規模な自然災害が発生した後、避難所等で使用するための段ボール製のパーティション（間仕切り）の開発がこれまでにもなされている（特許文献１〜３参照）。
【先行技術文献】
【特許文献】
【０００３】
【特許文献１】特開２０１０−２５５２３８号公報
【特許文献２】特開２００８−１３８３９１号公報
【特許文献３】特開２００６−３２８８３４号公報
【発明の概要】
【発明が解決しようとする課題】
【０００４】
しかし、本発明者らの調査によると、従来の段ボール製のパーティションは組立作業が必ずしも容易ではなかったり、形状の自由度が低いなどの課題を有していた。
【０００５】
本発明は、所望の形状に容易に組み立てることが可能な段ボール製仕切り板キットを提供することを目的とする。
【課題を解決するための手段】
【０００６】
本発明に係る段ボール製仕切り板キットは、一方の対辺である第一辺及び第二辺並びに他方の対辺である第三辺及び第四辺をそれぞれ有する複数の略矩形状第一仕切り板と、二枚の第一仕切り板を並べて配置した状態で互いに固定するための複数の固定板とを備える。第一仕切り板は、第一辺から第二辺の方向に第三辺に沿って延びる第一切り込みと、第一辺から第二辺の方向に第四辺に沿って延びる第二切り込みとを有する。固定板は第一仕切り板の二枚分の厚さに相当する幅の固定用切り込みを有する。
【０００７】
上記仕切り板キットを組み立ててパーティション等を作製するには、例えば、まず第一仕切り板に他の第一仕切り板を並べて配置するとともに、一方の第一仕切り板の第一切り込みと他方の第一仕切り板の第二切り込みとの位置を合わせ、そこに固定板の固定用切り込みを嵌め込む。かかる作業を繰り返し実施することによって所定の長さのパネルを作製することができる。この状態にあっては、上記パネルの両端部に固定板が嵌め込まれていない切り込みがそれぞれ存在する。他の第一仕切り板を準備し、これを作製済みのパネルに対して直角の向きに保持しながら、この第一仕切り板の切り込みをパネルの両端部に位置する切り込みに嵌め込む。これによって、パーティション等のコーナー部を形成することができる。コーナー部を設けることでパーティション等を自立させることができる。必要枚数の第一仕切り板を組み合わせることによって所望の形状のパーティション等を組み立てることができる。
【０００８】
コーナー部を形成する際、上記説明においては、「他の第一仕切り板」を準備してこれを使用する場合を例示したが、ここで「他の第一仕切り板」の代わりに以下の構成の第二仕切り板を使用してもよい。すなわち、第二仕切り板は、切り込みが対辺の互いに異なる辺にそれぞれ設けられていること以外は第一仕切り板と同様の構成を有する。例えば、上記作製済みのパネルを立てた状態に保持し、このパネルの両端部の切り込みが上方にある場合、「他の第一仕切り板」の第一切り込みとパネルの切り込みとを嵌め合せると、当該第一仕切り板の第二切り込みは下方に位置することになる。組み立て対象が比較的大きいもの（例えば、人の背丈を超えるパーティション等）である場合、切り込みが下方に位置すると、その後の組立作業がやりにくくなる傾向にある。これに対し、上記構成の第二仕切り板を使用することで、コーナー部を形成した場合も切り込みを上方に位置させることができ、その後の組立作業も効率的に実施できる。
【０００９】
上記仕切り板キットの用途としては、パーティション、迷路の壁面、並びに組立式簡易ベッド用及び組立式簡易椅子用の井桁状構造体などが挙げられる。
【発明の効果】
【００１０】
本発明によれば、所望の形状に容易に組み立てることが可能な段ボール製仕切り板キットが提供される。
【図面の簡単な説明】
【００１１】
【図１】（ａ）は第一仕切り板の構成を示す平面図であり、（ｂ）は固定板の構成を示す平面図であり、（ｃ）は第二仕切り板の構成を示す平面図である。
【図２】組み立てられたパーティションの一例を示す斜視図である。
【図３】隣り合う２枚の第一仕切り板を固定する方法を示す分解図である。
【図４】パーティションのコーナー部の分解図である。
【図５】ティー字部の分解図である。
【図６】十字部の分解図である。
【図７】（ａ）は図１に示す第一仕切り板の変形例を示す平面図であり、（ｂ）は図１に示す第二仕切り板の変形例を示す平面図である。
【発明を実施するための形態】
【００１２】
図面を参照しながら、本発明の実施形態について説明する。本実施形態に係る段ボール製仕切り板キットは、図１に示す第一仕切り板１（図１（ａ））、固定板５（図１（ｂ））及び第二仕切り板２（図１（ｃ））をそれぞれ複数枚ずつ備える。これらの各パーツの枚数は特に制限はなく、作製する対象物の大きさ、形状及び用途等に応じて適宜決めればよい。
【００１３】
第一仕切り板１、第二仕切り板２及び固定板５はいずれも略矩形であり、段ボール製である。なお、ここでいう略矩形とは、矩形（長方形若しくは正方形）又はこれに近い形状を意味する。段ボールとしては、必要とする強度を有するものであれば、一般に流通しているものを使用すればよく、一層構造であってもよく、あるいは、多層構造からなる強化段ボールを使用してもよい。段ボールの厚さは例えば３〜８ｍｍ程度であればよい。
【００１４】
図１（ａ）に示すとおり、第一仕切り板１は一方の対辺である第一辺１ａ及び第二辺１ｂと、他方の対辺である第三辺１ｃ及び第四辺１ｄとを有する。第一仕切り板１は、第一辺１ａから第二辺１ｂの方向に第三辺１ｃに沿って延びる第一切り込みＳ１と、第一辺１ａから第二辺１ｂの方向に第四辺１ｄに沿って延びる第二切り込みＳ２とを有する。切り込みＳ１，Ｓ２はそれぞれ第一仕切り板１の縦の長さＬ１の半分の長さを有する。
【００１５】
図１（ｂ）に示すとおり、固定板５は一方の対辺である第一辺５ａ及び第二辺５ｂと、他方の対辺である第三辺５ｃ及び第四辺５ｄとを有する。固定板５は第一仕切り板１よりも細長い形状を有する。固定板５は二枚の第一仕切り板１を並べて配置した状態で互いに固定するためのものである。固定板５は一つの固定用切り込みＳ５を有する。固定用切り込みＳ５は、長さが短い方の対辺の一方の辺５ａから他方の辺５ｂの方向に延びている。固定用切り込みＳ５は、固定用切り込みＳ５は固定板５の縦の長さＬ５（好ましくは長さＬ１と同じ長さ）の半分の長さを有する。
【００１６】
図１（ｃ）に示すとおり、第二仕切り板２は、切り込みの位置が異なる他は第一仕切り板１と同様の構成を有する。すなわち、第二仕切り板２は一方の対辺である第一辺２ａ及び第二辺２ｂと、他方の対辺である第三辺２ｃ及び第四辺２ｄとを有する。第二仕切り板２は、第一辺２ａから第二辺２ｂの方向に第三辺２ｃに沿って延びる第三切り込みＳ３と、第二辺２ｂから第一辺２ａの方向に第四辺２ｄに沿って延びる第四切り込みＳ４とを有する。切り込みＳ３，Ｓ４はそれぞれ第二仕切り板２の縦の長さＬ２（長さＬ１と同じ長さ）の半分の長さを有する。
【００１７】
第一仕切り板１、第二仕切り板２及び固定板５の厚さが同じである場合（同じ段ボールを使用して第一仕切り板１、第二仕切り板２及び固定板５を作製した場合）、第一仕切り板１の切り込みＳ１，Ｓ２は、汎用性の観点から、段ボールの厚さ２枚分に相当する幅を有することが好ましい（図６参照）。第二仕切り板２の切り込みＳ３，Ｓ４も、汎用性の観点から段ボールの厚さ２枚分に相当する幅を有することが好ましい（図６参照）。他方、固定板５の固定用切り込みＳ５は少なくとも段ボールの厚さ２枚分に相当する幅を有する（図３参照）。なお、切り込みＳ１〜Ｓ５は嵌め込む作業を行いやすくするため、これらの開放端に切り込みの幅を広くしたガイド部を設けることが好ましい（図１参照）。
【００１８】
図２〜４を参照しながら、本実施形態に係る仕切り板キットを使用してパーティションを作製する方法について説明する。図２に示すパーティション１０は、地震などの自然災害が発生した後に避難所で使用することを想定したものである。パーティション１０は、７枚の第一仕切り板１と、４枚の第二仕切り板２と、１６枚の固定板５とによって構成され、上から見て長方形の形状を有する。パーティション１０は、４つのコーナー部１０ａを有しており、自立している。パーティション１０の一方の端部をなす第一仕切り板１と、他方の端部をなす第一仕切り板１とは前後方向に重なるように配置され、この箇所から出入りができるようになっている。
【００１９】
図３は、隣り合う２枚の第一仕切り板１（１Ａ，１Ｂ）を２枚の固定板５で固定する方法を示す分解図である。図３に示すとおり、第一仕切り板１Ａに他の第一仕切り板１Ｂを並べて配置するとともに、第一仕切り板１Ａの第二切り込みＳ２と第一仕切り板１Ｂの第一切り込みＳ１との位置を合わせ、そこに２枚の固定板５を嵌め込む。なお、図３においては便宜上、２枚の第一仕切り板１Ａ，１Ｂよりも高い位置に２枚の固定板５を図示したが、実際に嵌め込み作業を行う際は以下のように実施してもよい。すなわち、固定用切り込みＳ５の位置を合わせた状態で２枚の固定板５を重ね、これらを固定板５の辺５ｄ側から切り込みＳ２，Ｓ１に挿入し、各切り込みの開放端の位置を合わせる。その後、２枚の固定板５を下方にスライドさせることによって固定作業を完了させてもよい（後述のコーナー部、ティー字部及び十字部を形成する場合も同様である。）。
【００２０】
図４は、コーナー部１０ａを形成する方法を示す分解図である。図４に示すとおり、第一仕切り板１Ｂの第二切り込みＳ２の箇所に固定板５を重ね合わせ、第二切り込みＳ２と固定用切り込みＳ５との位置を合わせる。そこに第二仕切り板２と１枚の固定板５を嵌め込む。これにより、図１に示すコーナー部１０ａを形成することができる。
【００２１】
以上、本発明の実施形態について詳細に説明したが、本発明は上記実施形態に限定されるものではない。例えば、上記実施形態においては、コーナー部１０ａを有するパーティション１０を例示したが、本発明に係る仕切り板キットを使用して、ティー字部（Ｔ字部）又は十字部を有する構造体を作製してもよい。
【００２２】
図５は、ティー字部を形成する方法を示す分解図である。図５に示すとおり、第一仕切り板１Ａに他の第一仕切り板１Ｂを並べて配置するとともに、第一仕切り板１Ａの第二切り込みＳ２と第一仕切り板１Ｂの第一切り込みＳ１との位置を合わせ、そこに第二仕切り板２と１枚の固定板５を嵌め込む。これにより、ティー字部を形成することができる。
【００２３】
図６は、十字部を形成する方法を示す分解図である。図６に示すとおり、第一仕切り板１Ａに他の第一仕切り板１Ｂを並べて配置するとともに、第一仕切り板１Ａの第二切り込みＳ２と第一仕切り板１Ｂの第一切り込みＳ１との位置を合わせ、そこに２枚の第二仕切り板２を嵌め込む。これにより十字部を形成することができる。
【００２４】
コーナー部のみならず、ティー字部及び十字部も形成できることで、組み立てる構造体の形状の自由度が高まる。これにより、例えば、本実施形態に係るキットによって巨大迷路の壁面を構成してもよい。避難所用のパーティションや迷路の壁面に当該キットを適用する場合、構造物の高さ（図１における長さＬ１，Ｌ２，Ｌ５）は５０〜２００ｃｍ程度とすればよい。なお、第一仕切り板１及び第二仕切り板２の幅（辺１ａ及び辺２ａの長さ）は３０〜１５０ｃｍ程度とすればよく、固定板５の幅（辺５ａの長さ）は３〜５ｃｍ程度とすればよい。
【００２５】
避難所用のパーティションや迷路の壁面に適用する場合、構造物を大人や子どもの背丈よりも高くすることを想定している。しかし、当該キットの適用範囲はこれらに限定されず、例えば、当該キットを組立式簡易ベッド用及び組立式簡易椅子用の井桁状構造体に適用してもよい。これらの場合、組み立てられる井桁状構造体の用途に応じて第一仕切り板１、第二仕切り板２及び固定板５のサイズを決定すればよい。
【００２６】
また、上記実施形態においては汎用性の観点から、第一仕切り板１及び第二仕切り板２の切り込みＳ１〜Ｓ４の幅を段ボールの厚さ二枚分に設定する場合を例示したが、例えば、図２に示すような比較的構成が単純なパーティション１０を対象とする場合、切り込みＳ１〜Ｓ４の幅は段ボールの厚さ一枚分であってもよい。
【００２７】
更に、第一仕切り板１及び第二仕切り板２の縦方向（辺１ｃ及び辺２ｃの方向）に並行に延びる少なくとも２本の罫線（折り曲げ線）１ｅ，２ｅをそれぞれ設けてもよい（図７参照）。この方向に仕切り板１，２をそれぞれ軽く折り曲げて使用すると、仕切り板１，２の反りを十分に防止できる。なお、図７（ａ）に示す２本の罫線１ｅのうち、一方の罫線１ｅで山折りをし、他方の罫線１ｅで谷折りをすればよい。同様に、図７（ｂ）に示す２本の罫線２ｅのうち、一方の罫線２ｅで山折りをし、他方の罫線２ｅで谷折りをすればよい。２本の罫線を設ける位置は辺１ａ，２ａの方向においてなるべく等間隔であることが好ましい。
【符号の説明】
【００２８】
１，１Ａ，１Ｂ…第一仕切り板、１ａ…第一辺、１ｂ…第二辺、１ｃ…第三辺、１ｄ…第四辺、２…第一仕切り板、２ａ…第一辺、２ｂ…第二辺、２ｃ…第三辺、２ｄ…第四辺、５…固定板、１０…パーティション、Ｓ１…第一切り込み、Ｓ２…第二切り込み、Ｓ３…第三切り込み、Ｓ４…第四切り込み、Ｓ５…固定用切り込み。
【要約】
【課題】所望の形状に容易に組み立てることが可能な段ボール製仕切り板キットを提供する。
【解決手段】本発明に係る段ボール製仕切り板キットは、一方の対辺である第一辺及び第二辺並びに他方の対辺である第三辺及び第四辺をそれぞれ有する複数の略矩形状第一仕切り板と、二枚の第一仕切り板を並べて配置した状態で互いに固定するための複数の固定板とを備える。第一仕切り板は、第一辺から第二辺の方向に第三辺に沿って延びる第一切り込みと、第一辺から第二辺の方向に第四辺に沿って延びる第二切り込みとを有する。固定板は第一仕切り板の二枚分の厚さに相当する幅の固定用切り込みを有する。
【選択図】図１【図１】
0005543680.tif 000002
【図２】
0005543680.tif 000003
【図３】
0005543680.tif 000004
【図４】
0005543680.tif 000005
【図５】
0005543680.tif 000006
【図６】
0005543680.tif 000007
【図７】
0005543680.tif 000008